(57)【要約】【課題】キャンドル本体が内部から独特な光の装飾性を発揮し、もって周囲の環境に美しい美観を与え、かつ可燃芯の着火とともに内部を自動的に発光させるキャンドルを提供する。【解決手段】キャンドル本体２と、キャンドル本体２内に固定した可燃芯３と、キャンドル本体２内の可燃芯３に沿うように配線した通電制御線４と、キャンドル本体２内部に配設されて通電制御線４との電気的な接続がなされるとともに、電源２１及び通電制御線４を介し通電状態を得た際に電源２１の電力で発光する一または複数の光源２２を具備した発光ユニット６とを備えてなる。また、通電制御線４には、表面を絶縁被覆したツイスト状の二本の導体線等を使用し、可燃芯３の燃焼炎によって絶縁被覆を焼失させることで双方の導体線を接触させ光源２２への通電を可能にする。【選択図】　　　図１
0003097456.tif 000002
【実用新案登録請求の範囲】
【請求項１】
キャンドル本体と、キャンドル本体内に固定した可燃芯と、キャンドル本体内の可燃芯に沿うように配線した通電制御線と、この通電制御線と電気的に接続されてキャンドル本体内部に配設されていて、電源及び通電制御線を介し通電状態を得た際に電源の電力で発光する一または複数の光源を具備している発光ユニットとからなることを特徴とするキャンドル。
【請求項２】
通電制御線は、表面を絶縁被覆したツイスト状の二本の導体線からなり、可燃芯の燃焼炎で絶縁被覆が焼失した際に双方の導体線が接触状態を得て発光ユニットの光源を発光するものである請求項１記載のキャンドル。
【請求項３】
通電制御線は、熱失性のある一対の金属線の間に燃失性の絶縁材を挟持して、可燃芯３の燃焼炎で絶縁材が消失した際に金属線の導電状態を得て発光ユニットの光源を発光するものである請求項１記載のキャンドル。
【請求項４】
金属線は、アルミニウム材からなる請求項３記載のキャンドル。
【請求項５】
通電制御線は、可燃芯の燃焼炎の光を導く光ファイバであるとともに、発光ユニットには、光ファイバを介する燃焼炎の光を検出する光センサを備え、この光センサが燃焼炎の光を検出した際に発光ユニットの光源を発光するものである請求項１記載のキャンドル。
【請求項６】
キャンドル本体は、可燃芯を突出させる天部に溶解蝋のガイド凹部を形成してなる請求項１乃至５の何れか記載のキャンドル。
【請求項７】
キャンドル本体は、発光ユニットとキャンドル本体外周面との間の肉厚を薄くして光透過性を高めてなるものである請求項１乃至６の何れか記載のキャンドル。
【請求項８】
キャンドル本体には所要の文字や飾り模様を表示してある請求項１乃至７の何れか記載のキャンドル。
【請求項９】
発光ユニットは、複数の光源を交互にあるいは重複して発光させる発光制御部を備えている請求項１乃至８の何れか記載のキャンドル。
【考案の詳細な説明】
【０００１】
【考案の属する技術分野】
この考案は溶解蝋を吸収する可燃芯から燃焼炎を発生させ、周囲を照らすキャンドルに係わり、詳しくは可燃芯の燃焼炎に伴う通電制御線の加熱変化もしくは燃焼炎の光検出によりキャンドル本体内の光源を発光させるてキャンドル本体から所要色の光の装飾性を発揮させるようにしたキャンドルに関する。
【０００２】
【従来の技術】
従来から、例えば丸い果実等を象ったり、外周に螺旋状の模様を象ったりしたキャンドルが広く知られている。一般に、キャンドルはキャンドル本体内に固定した可燃芯が着火燃焼されることによって、可燃芯が自らの燃焼炎とともにキャンドル本体の溶解蝋を吸収しながら燃焼炎を発し続けることで周囲を照らすものである。
【０００３】
【考案が解決しようとする課題】
しかしながら、従来のキャンドルは、単にキャンドル本体の中心に固定した可燃芯が溶解蝋を吸収しながら燃焼炎を発するから周囲を単に照らすにすぎず、光の装飾性を発揮するものとしては極めて単調であり、例えば各種の演出効果が望まれる店舗等の業務用としても、あるいは家庭用としてもあまり利用されていないのが実情である。
【０００４】
そこでこの考案は叙上のような従来存した諸事情に鑑み案出されたもので、溶解蝋を吸収しながら燃焼炎によって周囲を照らす他にも、キャンドル本体内部から光源の発光で独特な光の装飾性を発揮し、もって周囲の雰囲気に美しい美観を与えることができるキャンドルを提供することを第一の目的とする。また、キャンドル本体の外観を損なうような手動操作式のスイッチ部品を使用せずとも、可燃芯の燃焼炎によって内部の光源を自動的に発光できるキャンドルを提供することを第二の目的とする。
【０００５】
【課題を解決するための手段】
上述した課題を解決するため、この考案にあっては、キャンドル本体２と、キャンドル本体２内に固定した可燃芯３と、キャンドル本体２内の可燃芯３に沿うように配線した通電制御線４と、この通電制御線４との電気的な接続がなされてキャンドル本体２内部に配設されていて、電源２１及び通電制御線４を介し通電状態を得た際に電源２１の電力で発光する一または複数の光源２２を具備している発光ユニット６とからなるキャンドル１としたものである。
通電制御線４は、表面を絶縁被覆したツイスト状の二本の導体線からなり、可燃芯３の燃焼炎で絶縁被覆が焼失した際に双方の導体線が接触状態を得て発光ユニット６の光源２２を発光するものとしたり、熱失性のある一対の金属線５１、例えばアルミニウム材からなる金属線５１の間に燃失性の絶縁材５２を挟持して、可燃芯３の燃焼炎で絶縁材５２が消失した際に金属線５１の導電状態を得て発光ユニット６の光源２２を発光するものとしたり、可燃芯３の燃焼炎の光を導く光ファイバ４３であるとともに、発光ユニット６には、光ファイバ４３を介する燃焼炎の光を検出する光センサ４５を備え、光センサ４５が燃焼炎の光を検出した際に発光ユニット６の光源２２を発光するものしたりして構成できる。
キャンドル本体２は、可燃芯３を突出させる天部１１に溶解蝋のガイド凹部１２を形成したり、発光ユニット６とキャンドル本体２外周面との間の肉厚を薄くして光透過性を高めてなるものとしたり、所要の文字や飾り模様１５を例えば埋め込むか、貼付するかして表示したりして構成することができる。
発光ユニット６は、複数の光源２２を交互にあるいは重複して発光させる発光制御部２３を備えて構成することができる。
【０００６】
以上のように構成されたこの考案に係るキャンドル１にあって、可燃芯３の着火燃焼は通電制御線４を反応させ、電源２１と光源２２とを通電状態にする電気回路を閉成して電源２１からの電力を光源２２に与えて光源２２を発光させる。光源２２の発光はキャンドル本体２を透過してキャンドル本体２外に照射されてキャンドル本体２に美しい光の装飾性を発揮させる。
二本の導体線からなる通電制御線４は、可燃芯３の燃焼炎で絶縁被覆を焼失させて双方の導体線を接触状態として光源２２への電気回路を閉成させ、アルミニウム材の熱失性のある一対の金属線５１からなる通電制御線４は、可燃芯３の燃焼炎で絶縁材５２を焼失させて一対の金属線５１の間に通電を起こさせ、電気回路を閉成して光源２２を発光させる。
また光ファイバ４３の通電制御線４は、可燃芯３の燃焼炎を発光ユニット６の光センサ４５に導き、電気回路を閉成して光源２２への通電を可能にさせて光源２２を発光させる。
キャンドル本体２において、天部１１のガイド凹部１２は、溶解蝋を常時溜めておくことで溶解蝋を効率的に燃焼利用させ、薄い肉厚の形成はキャンドル本体２内部に配置の光源２２の発光をキャンドル本体２外部に明るく透過させ、所要の文字や飾り模様１５によって、可燃芯３が着火燃焼せずともユニークな装飾性を発揮させる。
発光ユニット６は、例えば複数の各光源２２を単独で順次に発光させ、また、複数の光源２２を同時に重複して発光させることで色合いを種々に変化させ、キャンドル本体２周囲に色彩変化する光の独特の雰囲気を醸成させる。
【０００７】
【考案の実施の形態】
以下図面を参照してこの考案の一実施の形態を説明する。図１において示される符号１はキャンドルであり、キャンドル本体２と、このキャンドル本体２内で例えばその中心に固定された可燃芯３と、キャンドル本体２内である中心付近で可燃芯３に沿うように配線固定された通電制御線４と、キャンドル本体２の内部に空洞状に形成された光放射空間５と、この光放射空間５内に収容配置されるとともに通電制御線４と電気的に接続された光源２２を具備した発光ユニット６とを備えて構成されている。
【０００８】
キャンドル本体２は溶解蝋を所定形状に固化成型することで形成されており、例えば図示のように四角柱形状に成形されているも、その外形は図示例に限らず、円柱状あるいは三角柱状としたり、具象物を象ったものとしたりすることができる。図示例のキャンドル本体２にあっては、可燃芯３の燃焼炎によるキャンドル本体２の溶解蝋を外部に漏らさないようにガイドするために天部１１に窪み状に形成したガイド凹部１２と、底面１３の中心から内部方向に成形された例えば円柱空洞状の光放射空間５内に発光ユニット６を収容した状態で光放射空間５の開放口を閉塞する例えば蝋材や合成樹脂材等からなる閉塞蓋１４とを具備した構成となっている。閉塞蓋１４は、キャンドル本体２に対し着脱可能にしても完全固着型にしても何れでも良く、またガイド凹部１２を形成せずに、ほぼ鋭角状にした頂部が形成されているものとしても良い。
【０００９】
一方、キャンドル本体２の側面には例えば所要形状として植物の葉、もしくは葉等を象った光透過性のある模様１５が施されているが、これは任意のものであり何れの造形素材を用いても良い。尚、キャンドル本体２の形状も角型の形状に限定されるものではなく、例えば果実や花を象ったり、外周に螺旋状の装飾的な形状を形成したり、もしくは動物や人物等を模して人形風に形成したりしても良く、即ちその形状は任意のものである。
【００１０】
可燃芯３は、例えばキャンドル本体２の中心にキャンドル本体２を構成する蝋材自体でキャンドル本体２の垂直方向にほぼ合致するように一直線状に固定されたものである。可燃芯３自体は例えば可燃性の繊維質で形成されており、可燃芯３のキャンドル本体２内部における下端は、空洞状の光放射空間５内に配置してある発光ユニット６を溶解蝋から保護する観点からも光放射空間５内には突出しない長さに設定することが好ましい（図２、図５、図６参照）。
【００１１】
通電制御線４は、図１乃至図３に示す実施の形態にあっては、例えばキャンドル本体２の中心近くで可燃芯３に平行に沿うように、むしろ可燃芯３とほぼ一体状となるようにキャンドル本体２を構成する蝋材自体で固定されたものである。この通電制御線４自体は、例えば通電性が低く熱失性のある金属被覆で被覆されたものでも良いが、本例では例えば外表面がなるべく薄い絶縁被覆材で絶縁された例えば銅材やアルミニウム材等の二本の細い導体線をツイスト状に絡ませたものとして形成されている。通電制御線４の上端はガイド凹部１２から突出する可燃芯３の先端と例えばほぼ同じ位置となるように設定され、下端は光放射空間５内に突出するように設定されている。そしてこの通電制御線４は、可燃芯３が着火燃焼した際にその燃焼炎の熱で絶縁被覆材が焼失されることで互いに絡まる二本の導体線が電気的に接触し、この接触で光源２２を点灯する電気回路を閉成して発光ユニット６内を導通状態、即ち通電可能な状態にする。
【００１２】
光放射空間５は円柱状をなす空洞形状であるが、これも任意の形状に設定しても良いのであり、発光ユニット６を収容配置する空間であるとともに、キャンドル本体２における光透過部分を肉薄の状態に設定することで、キャンドル本体２外に発光ユニット６から発せられる光を効率良く照射して外部から光源２２の輝きを視認できるものとして、光源２２をあまり減光せずに外部に透過することができるようにしてある。
【００１３】
発光ユニット６は図３、図４に示すように、通電制御線４との電気的な接続を図るための二つの電極（図示せず：スイッチ電極）を有する電極端子部２０と、例えば偏平型電池の如き電源２１と、通電制御線４の自己接触による通電時に電源２１からの電力の供給を受けて発光する例えばＬＥＤやＵＶＬＥＤの如き複数の光源２２と、各光源２２の発光と消光とを例えば所要時間の経過毎に次々に切換え、これを繰り返し制御する発光制御部２３と、電極端子部２０、光源２２及び発光制御部２３を実装した基板２４と、電源２１との電気的接続を図る端子（図示せず）を有するとともに左右のフレーム２５が下方から基板２４の両端に固定されて基板２４の背面側に対し電源２１の装着を挟持固定する電源固定部２６と、電源２１を装着した状態の基板２４及び電源固定部２６を収容する例えば透明な合成樹脂材製の収容ケース２７とを具備して構成されている。
【００１４】
収容ケース２７は例えば円筒状をなしており、例えば天面内側に光源２２用の凸レンズ２８を有するとともに通電制御線４を引き込む制御線引込孔２９を有し、下方の開放口から電源２１を装着した状態の基板２４及び電源固定部２６を収容するケース本体３１と、ケース本体３１の下方の開放口を閉塞する閉塞体３２とを備えて構成されている。尚、複数の光源２２を用いる場合、各光源２２の発光色が例えば赤、青、黄等に互いに異なるように組み合わせることが好ましく、また、電源２１は、可燃芯３が着火後、少なくとも完全に焼失してしまうまでの間の時間経過分だけの光源２２への電力供給ができる程度の電圧容量を具備していれば良く、この観点から、あるいは光源２２の発光の強度をある程度以上のレベルに引き上げるという観点から複数の電源２１を用いても良い。
【００１５】
次に、図２を参照し本実施の形態のキャンドル１の組立の一例について説明すると、例えば先ず図示しない成形型に可燃芯３及び通電制御線４を位置させるとともに溶解状の蝋を流し込んでキャンドル本体２を成形する。この成形時、キャンドル本体２には底面１３から内部に向う光照射空間５と天部１１から窪むガイド凹部１２とが設けられる。また、この成形時にはキャンドル本体２の側面に植物の葉等による模様１５を施しても良く、この模様１５はキャンドル本体２に埋め込んだり貼り付けたりすることで形成される。一方、所要の電気回路を構成した基板２４に電極端子部２０を実装するとともに例えば各々赤、青、黄等に発光する各光源２２及び発光制御部２３を実装し、かつ基板２４と図示しない端子を具備した電源固定部２６との間に電源２１を装着する。しかる上で、キャンドル本体２に固定された通電制御線４の後端を発光ユニット６の電極端子部２０に電気的に接続するとともに、この発光ユニット６をキャンドル本体２の光照射空間５内に収容させ、かつ光照射空間５の開放口（図示せず）を閉塞蓋１４で閉塞する。
【００１６】
かくの如く組立られたキャンドル１を使用する場合は、先ずキャンドル１を例えば図示しないテーブル上に置き、外部に露出する可燃芯３に着火し、可燃芯３から燃焼炎を発生させ、この燃焼炎で通電制御線４の先端の絶縁被覆材を溶解させ焼失させる。すると、通電制御線４のツイスト状の二本の導体線が接触してスイッチの如き働きをなして電源２１からの電力を発光制御部２３に供給させ、発光制御部２３の駆動を介して各光源２２を例えば所定時間毎の次々の発光・消光作動を繰り返させ、場合によっては各種の光が重なり状になるように発光させて混色させる。この結果、キャンドル本体２は、特に光照射空間５を成形したことにより光源２２の周囲にあたる部分が肉薄になっている関係で、当該部分が光源２２の発光を効率良く透過させ、キャンドル本体２の周囲側面から例えば赤、青、黄の順に繰り返し光の装飾性を発揮させ、周囲に独特な有色発光の美しさを提供する。
【００１７】
尚、本実施の形態にあっては、通電制御線４として、表面が絶縁被覆されたツイスト状の二本の導体線を用いる場合について説明したが、この考案の要旨はこれに限定されるものではない。例えば図５に示すように光の屈折率が異なるコア４１及びグラッド４２からなる熱失性のある光ファイバ４３を用いることができ、この光ファイバ４３の下端を発光ユニット６における光ファイバ４３固定用の固定孔を有する遮光性のキャップ４４等で支持し、光ファイバ４３によって可燃芯３の着火光を発光ユニット６内の光センサ（光電感度素子もしくは光電変換素子）４５に導くことで、可燃芯３の着火光を検出して光源２２の発光を制御する構成を採用できる。尚、光ファイバ４３は可燃芯３の燃焼消失に対応して次第に消失するようにしてあり、可燃芯３の着火光を常時光センサに導くようにしている。
【００１８】
あるいは図６に示すように通電制御線４として熱失性のある例えばアルミニウム材等の極薄い薄細帯状の金属箔材もしくはアルミ芯材の如き一対の金属線５１の間に熱失性のある絶縁材５２を挟んだものを採用して発光ユニット６の電極端子部２０に接続し、可燃芯３の着火でその絶縁材５２を焼失させ一対の金属線５１間に通電を起こさせるという構成を採用したりしても良い。この場合、可燃芯３の燃焼炎で絶縁材５２が焼失すると、一対の金属線５１は熱で湾曲し互いに接触するか、電子の発射により一対の金属線５１間が導通状態となる。
【００１９】
また、以上に説明した本実施の形態にあっては、光源２２を備えた発光ユニット６を用いた場合について説明したが、例えば電子的な音源から所要の楽音を発生する発音ユニット（図示せず）を用いたり、この発音ユニットを併用したりしても良いことは勿論である。
【００２０】
【考案の効果】
この考案は以上のように構成したために、キャンドル本体２内部に配置した光源２２の発光がキャンドル本体２を透過することでその外側に独特な光のイルミネーションを発揮させるのであり、もって周囲の環境により美しい有色発光の美観を与えることができる。しかもキャンドル本体２の外観を損なうような手動操作式のスイッチ部品を使用せずとも、可燃芯３からの燃焼炎の発生とともに自動的に内部の光源２２を発光させることが可能となる。また可燃芯３の着火によって半ば自動的に光源２２が発光してキャンドル本体２が弱い光ででも輝くようになるから幻想的雰囲気をも醸成し、しかも使用に際し全く煩わしさがなく、キャンドル１として従前の美観を一層有効に活用することができる。
【００２１】
即ち、これはこの考案において、キャンドル本体２に固定した可燃芯３に沿うように配線した通電制御線４によって電源２１と発光ユニット６の光源２２とを電気的に接続した電気回路をキャンドル本体２内に形成しておき、可燃芯３の燃焼に伴う通電制御線４による電気回路の閉成によって光源２２を発光させるようにしたからであり、これによって、キャンドル本体２が内部の光源２２の発光でぼんやりとでも光り輝き、特にシックな雰囲気を味わいたい人々には、その一時の語らいに独特な光の演出効果を生み出して良き思い出に花を添えるものとなり、特に互いの親密さや愛情を深めるにも絶好の雰囲気を演出でき、人々の気持ちを独特な光の雰囲気で潤すという効果があるのである。
【００２２】
通電制御線４は、表面を絶縁被覆したツイスト状の二本の導体線からなる場合は、可燃芯３の燃焼炎で絶縁被覆が焼失し双方の導体線が接触状態を得て光源２２への通電を可能とする電気回路を形成するため、キャンドル本体２の外観を損なうような手動操作式のスイッチ部品を使用せずとも、可燃芯３を着火させるだけで自動的に内部の光源２２を発光させることが可能となる。しかも使用に際し全く煩わしさがなく、従ってシックな雰囲気を好む人々に全く違和感を感じさせずに済み、使用した多くの人々にはこうしたキャンドル本体２に隠蔽された構成に気付かせることは殆ど困難であり、この光源２２の発光の不思議さを感じることで一層親密さや愛情を深めるのに効果的となる利点がある。また、表面を絶縁被覆したツイスト状の二本の導体線を用いる場合、製作も容易であり、かつコスト的にも極めて安く有益でもある。
【００２３】
通電制御線４は、熱失性のあるアルミニウム材の如き一対の金属線５１の間に燃失性の絶縁材５２を挟持したものである場合は、可燃芯３の燃焼炎で絶縁材５２を焼失させることで一対の金属線５１相互間で通電させて電気回路を閉成するから、この電気回路の閉成によって光源２２を発光させるため、同じく上述と同様の効果を得ることができる。
【００２４】
通電制御線４は、可燃芯３の燃焼炎の光を導く光ファイバ４３である場合は、発光ユニット６の光センサ４５が光ファイバ４３を介し燃焼炎の光を検出して光源２２への電気回路を閉成するため、この場合も、やはり同じく上述と同様の効果を得ることができる。
【００２５】
キャンドル本体２は、可燃芯３を突出させる天部１１に溶解蝋のガイド凹部１２を形成することで、溶解蝋を常時溜めておくことができるから、溶解蝋を外部に漏らすことを有効に防止でき、キャンドル本体２の外観を常に美しく保つことができる。
【００２６】
キャンドル本体２は、光源２２外周とキャンドル本体２外周面との間の肉厚を薄くすることで、光源２２からの発光の透過性を向上でき、キャンドル本体２を効率良く明るく発光させることができ、またキャンドル本体２に表示した模様１５によって可燃芯３が着火せずともユニークな装飾性を発揮させるため、明るい環境のもとでも十分に製品としての価値を高めることができる。
【００２７】
発光ユニット６は、複数の光源２２を交互にあるいは重複して発光させる発光制御部２３を備えることで、各光源２２を例えば単独で順次にあるいは混色を生じさせるように発光させるため、キャンドル本体２を順次赤、青、黄等の異なる有色発光の光のイルミネーションであるいは適当なグラディエーション作用を発揮することができ、上述の効果に加えて、常に発光色を変化させ、周囲の人々を飽きさせず絶えず楽しませることができる。
【図面の簡単な説明】
【図１】この考案の一実施の形態を示す斜視図である。
【図２】同じく全体的な構成を示す断面図である。
【図３】同じく全体的な構成を示す一部分解斜視図である。
【図４】同じく発光ユニットの断面図である。
【図５】他の実施の形態を示し、（Ａ）はその全体の断面図、（Ｂ）は通電制御線の要部拡大側面図である。
【図６】更に他の実施の形態を示し、（Ａ）はその全体の断面図、（Ｂ）は通電制御線の要部拡大側面図である。
【符号の説明】
１…キャンドル　　　　　　　　　　　２…キャンドル本体
３…可燃芯　　　　　　　　　　　　　４…通電制御線
５…光放射空間　　　　　　　　　　　６…発光ユニット
１１…天部　　　　　　　　　　　　　１２…ガイド凹部
１３…底面　　　　　　　　　　　　　１４…閉塞蓋
１５…模様
２０…電極端子部　　　　　　　　　　２１…電源
２２…光源　　　　　　　　　　　　　２３…発光制御部
２４…基板　　　　　　　　　　　　　２５…フレーム
２６…電源固定部　　　　　　　　　　２７…収容ケース
２８…凸レンズ　　　　　　　　　　　２９…制御線引込孔
３１…ケース本体　　　　　　　　　　３２…閉塞体
４１…コア　　　　　　　　　　　　　４２…グラッド
４３…光ファイバ　　　　　　　　　　４４…キャップ
４５…光センサ
５１…金属線　　　　　　　　　　　　５２…絶縁材
【図１】
0003097456.tif 000003
【図２】
0003097456.tif 000004
【図３】
0003097456.tif 000005
【図４】
0003097456.tif 000006
【図５】
0003097456.tif 000007
【図６】
0003097456.tif 000008